(57)【特許請求の範囲】
【請求項１】
撮像装置と通信装置とからなる撮像システムであって、
前記撮像装置は、
撮像手段と、
前記撮像装置の動作状態を前記通信装置に通知する送信手段とを有し、
前記通信装置は、
前記送信手段から通知された前記動作状態を受信する受信手段と、
前記受信手段により受理した前記撮像装置の動作状態を判定する状態判定手段と、
前記状態判定手段による判定結果に応じて、前記撮像装置の動作状態を表示する表示手段とを有し、
前記送信手段は、前記撮像装置の動作状態を取得する度に、当該取得した動作状態を前記通信装置に通知することを特徴とする撮像システム。
【請求項２】
撮像装置と、通信装置とからなる撮像システムであって、
前記撮像装置は、
撮像手段と、
前記撮像装置の動作状態及び識別情報を前記通信装置に通知する送信手段とを有し、
前記通信装置は、
前記送信手段から通知された前記動作状態及び識別情報を受信する受信手段と、
前記送信手段により受理した前記撮像装置の動作状態及び識別情報を判定する状態判定手段と、
前記状態判定手段による判定結果に応じて、前記撮像装置の動作状態を表示する表示手段とを有する
ことを特徴とする撮像システム。
【請求項３】
前記撮像装置の動作状態が、前記撮像装置の電源の動作状態であることを特徴とする請求項１または２に記載の撮像システム。
【請求項４】
前記電源の動作状態が、前記撮像装置の電源スイッチの状態及び電池の残量状態であり、前記電源スイッチの状態を判定した結果に応じて、前記表示手段は前記電池の残量状態を表示することを特徴とする請求項３に記載の撮像システム。
【請求項５】
前記撮像装置の動作状態が、前記撮像装置の電源の動作状態及び撮像機能の動作状態であることを特徴とする請求項１または２に記載の撮像システム。
【請求項６】
前記電源の動作状態が、前記撮像装置の電源スイッチの状態であり、前記撮像機能の動作状態が、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態であり、前記表示手段は、前記電源スイッチの状態を判定した結果に応じて、前記撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態を表示することを特徴とする請求項５に記載の撮像システム。
【請求項７】
前記識別情報は、前記撮像装置及び前記通信装置間で認証を行うための情報であり、前記状態判定手段において認証がとれた場合に、前記表示手段は前記撮像装置の動作状態を表示することを特徴とする請求項２に記載の撮像システム。
【請求項８】
前記通信装置は、前記撮像装置以外の外部装置と通信する手段を更に有し、
前記通信装置が前記外部装置と通信中は、前記表示手段による前記撮像装置の動作状態の表示を中止することを特徴とする請求項１乃至７のいずれか１項に記載の撮像システム。
【請求項９】
前記撮像装置は表示手段を更に有し、前記撮像装置の動作状態を表示することを特徴とする請求項１乃至８のいずれか１項に記載の撮像システム。
【請求項１０】
前記撮像装置は前記撮像手段により得られた画像データを前記通信装置に送信し、前記送信手段は、上記画像データの送信時に前記通信装置に通知することを特徴とする請求項１乃至９のいずれか１項に記載の撮像システム。
【請求項１１】
撮像装置と通信装置とからなる撮像システムの制御方法であって、
前記撮像装置の動作状態を取得する度に、当該取得した動作状態を前記通信装置に通知する通知工程と、
前記通知工程で通知された前記動作状態を前記通信装置において受理する受理工程と、
前記受理工程で受理した前記撮像装置の動作状態を前記通信装置で判定する判定工程と、
前記判定工程において判定した結果に応じて、前記撮像装置の動作状態を前記通信装置で表示する表示工程と
を有することを特徴とする撮像システムの制御方法。
【請求項１２】
撮像装置と通信装置とからなる撮像システムの制御方法であって、
前記撮像装置の動作状態及び識別情報を前記通信装置に通知する通知工程と、
前記通知工程で通知された前記動作状態及び識別情報を前記通信装置において受理する受理工程と、
前記受理工程で受理した前記撮像装置の動作状態及び識別情報を前記通信装置で判定する判定工程と、
前記判定工程において判定した結果に応じて、前記撮像装置の動作状態を前記通信装置で表示する表示工程と
を有することを特徴とする撮像システムの制御方法。
【請求項１３】
前記撮像装置の動作状態が、前記撮像装置の電源の動作状態であることを特徴とする請求項１１または１２に記載の撮像システムの制御方法。
【請求項１４】
前記電源の動作状態が、前記撮像装置の電源スイッチの状態及び電池の残量状態であり、前記表示工程では、前記電源スイッチの状態を判定した結果に応じて、前記電池の残量状態を表示することを特徴とする請求項１３に記載の撮像システムの制御方法。
【請求項１５】
前記撮像装置の動作状態が、前記撮像装置の電源の動作状態及び撮像機能の動作状態であることを特徴とする請求項１１または１２に記載の撮像システムの制御方法。
【請求項１６】
前記電源の動作状態が、前記撮像装置の電源スイッチの状態であり、前記撮像機能の動作状態が、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態であり、前記表示工程では、前記電源スイッチの状態を判定した結果に応じて、前記撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態を表示することを特徴とする請求項１５に記載の撮像システムの制御方法。
【請求項１７】
前記識別情報は、前記撮像装置及び前記通信装置間で認証を行うための情報であり、前記状態判定工程において認証がとれた場合に、前記表示工程において前記撮像装置の動作状態を表示することを特徴とする請求項１２に記載の撮像システムの制御方法。
【請求項１８】
前記通信装置は、前記撮像装置以外の外部装置と通信する手段を有し、前記通信装置が前記外部装置と通信中は、前記表示工程における前記撮像装置の動作状態の表示を中止することを特徴とする請求項１１乃至１７のいずれか１項に記載の撮像システムの制御方法。
【請求項１９】
前記撮像装置において前記撮像装置の動作状態を表示する表示する第２の表示工程を更に有することを特徴とする請求項１１乃至１８のいずれか１項に記載の撮像システムの制御方法。
【請求項２０】
前記撮像装置は前記撮像手段により得られた画像データを前記通信装置に送信し、前記状態通知工程では、上記画像データの送信時に前記通信装置に通知することを特徴とする請求項１１乃至１９のいずれか１項に記載の撮像システムの制御方法。
【請求項２１】
請求項１１乃至２０のいずれか１項に記載の撮像装置と通信装置とからなる撮像システムの制御方法を実現するためのプログラムコードを保持する記憶媒体。
【請求項２２】
通信により外部通信装置に画像データを送信可能な撮像装置であって、
撮像手段と、
前記撮像装置の動作状態を取得する度に、当該取得した動作状態を前記外部通信装置に通知する送信手段と
を有することを特徴とする撮像装置。
【請求項２３】
外部装置に通信により画像データを送信可能な撮像装置であって、
撮像手段と、
前記撮像装置の動作状態及び識別情報を前記外部通信装置に通知する送信手段と
を有することを特徴とする撮像装置。
【請求項２４】
前記撮像装置の動作状態が、前記撮像装置の電源の動作状態であることを特徴とする請求項２２または２３に記載の撮像装置。
【請求項２５】
前記電源の動作状態が、前記撮像装置の電源スイッチの状態及び電池の残量状態であることを特徴とする請求項２４に記載の撮像装置。
【請求項２６】
前記撮像装置の動作状態が、前記撮像装置の電源の動作状態及び撮像機能の動作状態であることを特徴とする請求項２２または２３に記載の撮像装置。
【請求項２７】
前記電源の動作状態が、前記撮像装置の電源スイッチの状態であり、前記撮像機能の動作状態が、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態であることを特徴とする請求項２６に記載の撮像装置。
【請求項２８】
前記識別情報は、前記撮像装置及び前記通信装置間で認証を行うための情報であることを特徴とする請求項２３に記載の撮像装置。
【請求項２９】
表示手段を更に有し、前記撮像装置の動作状態を表示することを特徴とする請求項２２乃至２８のいずれか１項に記載の撮像装置。
【請求項３０】
前記送信手段は、画像データの送信時に前記通信装置に通知することを特徴とする請求項２２乃至２９のいずれか１項に記載の撮像装置。
【請求項３１】
通信により外部通信装置に画像データを送信可能な撮像装置の制御方法であって、
前記撮像装置の動作状態を取得する度に、当該取得した動作状態を前記外部通信装置に通知する通知工程を有することを特徴とする撮像装置の制御方法。
【請求項３２】
通信により外部通信装置に画像データを送信可能な撮像装置の制御方法であって、前記撮像装置の動作状態及び識別情報を前記外部通信装置に通知する通知工程を有することを特徴とする撮像装置の制御方法。
【請求項３３】
前記撮像装置の動作状態が、前記撮像装置の電源の動作状態であることを特徴とする請求項３１または３２に記載の撮像装置の制御方法。
【請求項３４】
前記電源の動作状態が、前記撮像装置の電源スイッチの状態及び電池の残量状態であることを特徴とする請求項３３に記載の撮像装置の制御方法。
【請求項３５】
前記撮像装置の動作状態が、前記撮像装置の電源の動作状態及び撮像機能の動作状態であることを特徴とする請求項３１または３２に記載の撮像装置の制御方法。
【請求項３６】
前記電源の動作状態が、前記撮像装置の電源スイッチの状態であり、前記撮像機能の動作状態が、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態であることを特徴とする請求項３５に記載の撮像装置の制御方法。
【請求項３７】
前記識別情報は、前記撮像装置及び前記外部通信装置間で認証を行うための情報であることを特徴とする請求項３２に記載の撮像装置の制御方法。
【請求項３８】
前記撮像装置の動作状態を表示する表示する表示工程を更に有することを特徴とする請求項３１乃至３７のいずれか１項に記載の撮像装置の制御方法。
【請求項３９】
前記状態通知工程では、上記画像データの送信時に前記外部通信装置に通知することを特徴とする請求項３１乃至３８のいずれか１項に記載の撮像装置の制御方法。
【請求項４０】
請求項３１乃至３９のいずれか１項に記載の撮像装置の制御方法を実現するためのプログラムコードを保持する記憶媒体。
【請求項４１】
外部撮像装置から通信により画像データを受信可能な通信装置であって、
前記外部撮像装置から通知された前記外部撮像装置の動作状態及び識別情報を受信する受信手段と、
前記送信手段により受理した前記外部撮像装置の動作状態及び識別情報を判定する状態判定手段と、
前記状態判定手段による判定結果に応じて、前記外部撮像装置の動作状態を表示する表示手段とを有する
ことを特徴とする通信装置。
【請求項４２】
前記外部撮像装置の動作状態が、前記外部撮像装置の電源の動作状態であることを特徴とする請求項４１に記載の通信装置。
【請求項４３】
前記電源の動作状態が、前記外部撮像装置の電源スイッチの状態及び電池の残量状態であり、前記表示手段は、前記電源スイッチの状態を判定した結果に応じて、前記電池の残量状態を表示することを特徴とする請求項４２に記載の通信装置。
【請求項４４】
前記外部撮像装置の動作状態が、前記外部撮像装置の電源の動作状態及び撮像機能の動作状態であることを特徴とする請求項４１に記載の通信装置。
【請求項４５】
前記電源の動作状態が、前記外部撮像装置の電源スイッチの状態であり、前記外部撮像機能の動作状態が、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態であり、前記表示手段は、前記電源スイッチの状態を判定した結果に応じて、前記撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態を表示することを特徴とする請求項４４に記載の通信装置。
【請求項４６】
前記識別情報は、前記外部撮像装置及び前記通信装置間で認証を行うための情報であり、前記状態判定手段において認証がとれた場合に、前記表示手段は前記外部撮像装置の動作状態を表示することを特徴とする請求項４１に記載の通信装置。
【請求項４７】
前記通信装置は、前記外部撮像装置以外の外部装置と通信する手段を更に有し、
前記通信装置が前記外部装置と通信中は、前記表示手段による前記外部撮像装置の動作状態の表示を中止することを特徴とする請求項４１乃至４６のいずれか１項に記載の通信装置。
【請求項４８】
外部撮像装置から通信により画像データを受信可能な通信装置の制御方法であって、
前記外部撮像装置から通知された前記外部撮像装置の動作状態及び識別情報を受理する受理工程と、
前記受理工程で受理した前記外部撮像装置の動作状態及び識別情報を判定する判定工程と、
前記判定工程において判定した結果に応じて、前記外部撮像装置の動作状態を表示する表示工程と
を有することを特徴とする通信装置の制御方法。
【請求項４９】
前記外部撮像装置の動作状態が、前記外部撮像装置の電源の動作状態であることを特徴とする請求項４８に記載の通信装置の制御方法。
【請求項５０】
前記電源の動作状態が、前記外部撮像装置の電源スイッチの状態及び電池の残量状態であり、前記電源スイッチの状態を判定した結果に応じて、前記電池の残量状態を表示することを特徴とする請求項４９に記載の通信装置の制御方法。
【請求項５１】
前記外部撮像装置の動作状態が、前記外部撮像装置の電源の動作状態及び撮像機能の動作状態であることを特徴とする請求項４８に記載の通信装置の制御方法。
【請求項５２】
前記電源の動作状態が、前記外部撮像装置の電源スイッチの状態であり、前記撮像機能の動作状態が、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態であり、前記表示工程では、前記電源スイッチの状態を判定した結果に応じて、前記撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態を表示することを特徴とする請求項５１に記載の通信装置の制御方法。
【請求項５３】
前記識別情報は、前記外部撮像装置及び前記通信装置間で認証を行うための情報であり、前記状態判定工程において認証がとれた場合に、前記表示工程において前記撮像装置の動作状態を表示することを特徴とする請求項４８に記載の通信装置の制御方法。
【請求項５４】
前記通信装置は、前記外部撮像装置以外の外部装置と通信する手段を有し、前記通信装置が前記外部装置と通信中は、前記表示工程における前記外部撮像装置の動作状態の表示を中止することを特徴とする請求項４８乃至５３のいずれか１項に記載の通信装置の制御方法。
【請求項５５】
請求項４８乃至５４のいずれか１項に記載の通信装置の制御方法を実現するためのプログラムコードを保持する記憶媒体。
【発明の詳細な説明】
【０００１】
【発明の属する技術分野】
本発明は、撮像装置、通信装置、撮像システム及びこれらを制御するための制御方法に関し、更に詳しくは、静止画像や動画像を撮像、記憶、通信、記録、再生する撮像システム及びその制御方法に関する。
【０００２】
【従来の技術】
従来、固体メモリ素子を有するメモリカードを記録媒体として、静止画像や動画像を記録再生する電子カメラ等の撮像装置は既に市販されており、音声や画像を通信する携帯電話等の通信装置も販売されている。
【０００３】
これらの電子カメラや携帯電話からなる撮像システムを携行することにより、事務所や家庭等の屋内での作業に拘束されずに、屋外において機動的な業務推進を行うことが可能となっている。
【０００４】
【発明が解決しようとする課題】
しかし、このような従来の電子カメラや携帯電話等の撮像システムにおいては、双方向の通信機器であるために受動的に使用することも多い携帯電話を操作する機会、頻度が比較的多くなり、能動的な機器である電子カメラを使用する機会、頻度は比較的低くなることが多かった。
【０００５】
このため、携帯電話の電池残量等の状態を確認する頻度が比較的高くなるのに対し、電子カメラの電池残量等の状態を確認する機会、頻度は比較的低くなり、いざ撮影する段階になって、初めて電池残量不足やその他の状態に気づき、意図した撮影が行えない或いは撮影の機会を逸することがあり問題であった。
【０００６】
本発明は上記問題点を鑑みてなされたものであり、携帯電話などの通信装置において、上記通信装置が通信可能な電子カメラなどの撮像装置の状態を確認することができるようにすることを目的とする。
【０００７】
【課題を解決するための手段】
上記目的を達成するために、本発明における撮像装置と通信装置とからなる撮像システムは、撮像手段と、前記撮像装置の動作状態を前記通信装置に通知する送信手段とを有する前記撮像装置と、前記送信手段から通知された前記動作状態を受信する受信手段と、前記受信手段により受理した前記撮像装置の動作状態を判定する状態判定手段と、前記状態判定手段による判定結果に応じて、前記撮像装置の動作状態を表示する表示手段とを有し、前記送信手段は、前記撮像装置の動作状態を取得する度に、当該取得した動作状態を前記通信装置に通知する前記通信装置とからなる。
【０００８】
また、好適な別の一様態によれば、本発明における撮像装置と通信装置とからなる撮像システムは、撮像装置と、通信装置とからなる撮像システムは、前記撮像装置は、撮像手段と、前記撮像装置の動作状態及び識別情報を前記通信装置に通知する送信手段とを有する前記撮像装置と、前記送信手段から通知された前記動作状態及び識別情報を受信する受信手段と、前記受信手段により受理した前記撮像装置の動作状態及び識別情報を判定する状態判定手段と、前記状態判定手段による判定結果に応じて、前記撮像装置の動作状態を表示する表示手段とを有する前記通信装置とからなる。
【０００９】
また、本発明における撮像装置と通信装置とからなる撮像システムの制御方法は、前記撮像装置の動作状態を前記通信装置に通知する通知工程と、前記通知工程で通知された前記動作状態を取得する度に、当該取得した動作状態を前記通信装置において受理する受理工程と、前記受理工程で受理した前記撮像装置の動作状態を前記通信装置で判定する判定工程と、前記判定工程において判定した結果に応じて、前記撮像装置の動作状態を前記通信装置で表示する表示工程とを有する。
【００１０】
また、好適な別の一様態によれば、本発明における撮像装置と通信装置とからなる撮像システムの制御方法は、前記撮像装置の動作状態及び識別情報を前記通信装置に通知する通知工程と、前記通知工程で通知された前記動作状態及び識別情報を前記通信装置において受理する受理工程と、前記受理工程で受理した前記撮像装置の動作状態及び識別情報を前記通信装置で判定する判定工程と、前記判定工程において判定した結果に応じて、前記撮像装置の動作状態を前記通信装置で表示する表示工程とを有する。
【００１１】
また、本発明における通信により外部通信装置に画像データを送信可能な撮像装置は、撮像手段と、前記撮像装置の動作状態を取得する度に、当該取得した動作状態を前記外部通信装置に通知する送信手段とを有する。
【００１２】
また、好適な別の一様態によれば、本発明における外部装置に通信により画像データを送信可能な撮像装置は、撮像手段と、前記撮像装置の動作状態及び識別情報を前記外部通信装置に通知するを有する。
【００１３】
また、本発明における通信により外部通信装置に画像データを送信可能な撮像装置の制御方法は、前記撮像装置の動作状態を取得する度に、当該取得した動作状態を前記外部通信装置に通知する通知工程を有する。
【００１４】
また、好適な別の一様態によれば、本発明における通信により外部通信装置に画像データを送信可能な撮像装置の制御方法は、前記撮像装置の動作状態及び識別情報を前記外部通信装置に通知する通知工程を有する。
【００１６】
また、好適な別の一様態によれば、本発明における外部撮像装置から通信により画像データを受信可能な通信装置は、前記外部撮像装置から通知された前記外部撮像装置の動作状態及び識別情報を受信する受信手段と、前記送信手段により受理した前記外部撮像装置の動作状態及び識別情報を判定する状態判定手段と、前記状態判定手段による判定結果に応じて、前記外部撮像装置の動作状態を表示する表示手段とを有する。
【００１８】
また、好適な別の一様態によれば、本発明における外部撮像装置から通信により画像データを受信可能な通信装置の制御方法は、前記外部撮像装置から通知された前記外部撮像装置の動作状態及び識別情報を受理する受理工程と、前記受理工程で受理した前記外部撮像装置の動作状態及び識別情報を判定する判定工程と、前記判定工程において判定した結果に応じて、前記外部撮像装置の動作状態を表示する表示工程とを有する。
【００１９】
また、本発明の好適な一様態によれば、前記撮像装置の動作状態は前記撮像装置の電源の動作状態である。
【００２０】
また、本発明の好適な一様態によれば、前記電源の動作状態は前記撮像装置の電源スイッチの状態及び電池の残量状態であり、前記電源スイッチの状態を判定した結果に応じて、前記電池の残量状態を表示する。
【００２１】
また、本発明の好適な一様態によれば、前記撮像装置の動作状態は前記撮像装置の電源の動作状態及び撮像機能の動作状態である。
【００２２】
更に本発明の好適な一様態によれば、前記電源の動作状態が、前記撮像装置の電源スイッチの状態であり、前記撮像機能の動作状態が、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態であり、前記電源スイッチの状態を判定した結果に応じて、前記撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信の少なくとも１つの動作状態を表示する。
【００２３】
また、本発明の好適な一様態によれば、前記識別情報は、前記撮像装置及び前記通信装置間で認証を行うための情報であり、前記状態判定手段または状態判定工程において認証がとれた場合に、前記撮像装置の動作状態を表示する。
【００２４】
また、本発明の好適な一様態によれば、前記通信装置は、前記撮像装置以外の外部装置と通信する手段を更に有し、前記通信装置が前記外部装置と通信中は、前記撮像装置の動作状態の表示を中止する。
【００２５】
また、本発明の好適な一様態によれば、前記撮像装置は表示手段を更に有し、前記撮像装置の動作状態を表示する。または、前記撮像装置において前記撮像装置の動作状態を表示する表示する第２の表示工程を更に有する。
【００２７】
また、本発明の好適な別の一様態によれば、前記撮像装置は前記撮像手段により得られた画像データを前記通信装置に送信し、前記送信手段または前記状態通知工程では、上記画像データの送信時に前記通信装置に通知する。
【００２８】
【発明の実施の形態】
以下、添付図面を参照して本発明の好適な実施の形態を詳細に説明する。
【００２９】
［第１の実施形態］
図１は、本発明の実施の形態における撮像システムの全体構成を示す図である。
【００３０】
図１において、１００は撮像装置、２００は記録媒体、３００は通信装置である。
【００３１】
撮像装置１００は通信ユニット１１０及びアンテナ１１２を介して、通信装置３００は通信ユニット３３０及びアンテナ３３２を介して、無線通信により相互にコマンド、撮影画像を含むデータを送受している。
【００３２】
撮像装置１００と通信装置３００間の無線通信は、Ｂｌｕｅｔｏｏｔｈ等のスペクトラム拡散方式により行われている。
【００３３】
撮像装置１００は、レンズ３１０を通して撮像した画像データを通信ユニット１１０、アンテナ１１２、アンテナ３３２、通信ユニット３３０を介して、通信装置３００に送信し、通信装置３００は受信した画像データを着脱可能な記録媒体２００に記録すると共に、通信ユニット３２６、アンテナ３２８を介して、他の通信装置或いは通信基地局に送信することができる。
【００３４】
＜撮像装置１００の構成説明＞
次に、図２を参照して、前述した撮像装置１００の構成について説明する。
【００３５】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００３６】
１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００３７】
２０は画像処理回路であり、Ａ／Ｄ変換器１６からの画像データ或いはメモリ制御回路２２からの画像データに対して所定の画素補間処理や色変換処理を行う。また、画像処理回路２０は、Ａ／Ｄ変換器１６から出力される画像データを用いて所定の演算処理を行い、得られた演算結果に基づいてシステム制御回路５０が露光制御部４０及び測距制御部４２に対して、スルー・ザ・レンズ（ＴＴＬ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００３８】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００３９】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００４０】
３０は撮影した静止画像や動画像を格納するための揮発性メモリ及び／または不揮発性メモリからなるメモリであり、所定枚数の静止画像や所定時間の動画像を格納するのに充分な記憶容量を備えている。これにより、複数枚の静止画像を連続して撮影する連射撮影やパノラマ撮影の場合にも、高速かつ大量の画像をメモリ３０に書き込むことができる。また、メモリ３０はシステム制御回路５０の作業領域としても使用することが可能である。
【００４１】
３２は適応離散コサイン変換（ＡＤＣＴ）等により画像データを圧縮・伸長する圧縮・伸長回路であり、メモリ３０に格納された画像を読み込んで圧縮処理或いは伸長処理を行い、処理を終えたデータが再びメモリ３０に書き込まれる。
【００４２】
４０は絞り機能を備えるシャッター１２を制御する露光制御部であり、フラッシュ４８と連携することによりフラッシュ調光機能も有するものである。４２は撮影レンズ１０のフォーカシングを制御する測距制御部、４４は撮影レンズ１０のズーミングを制御するズーム制御部、４６はレンズを保護するためのバリア１０２の動作を制御するバリア制御部である。４８はフラッシュであり、ＡＦ補助光の投光機能、フラッシュ調光機能も有する。露光制御部４０及び測距制御部４２はＴＴＬ方式を用いて制御されており、上述の通り、Ａ／Ｄ変換器１６からの画像データを画像処理回路２０によって演算した演算結果に基づき、システム制御回路５０が露光制御部４０及び測距制御部４２を制御する。
【００４３】
５０は撮像装置１００全体を制御するシステム制御回路であり、５２はシステム制御回路５０の動作用の定数、変数、プログラム等を記憶するメモリである。
【００４４】
５４はシステム制御回路５０でのプログラムの実行に応じて、文字、画像、音声等を用いて動作状態やメッセージ等を外部に通知するための通知部であり、例えばＬＣＤやＬＥＤ等による視覚的な表示を行う表示部や、音声による通知を行う発音素子などが用いられるが、これらの内１つ以上の組み合わせにより構成される。特に、表示部の場合には、撮像装置１００の操作部７０近辺の視認し易い、単数或いは複数個所に設置されている。また、通知部５４は、その一部の機能が光学ファインダー１０４内に設置されている。
【００４５】
通知部５４の通知内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示等がある。
【００４６】
また、通知部５４の通知内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示等がある。
【００４７】
さらに、通知部５４の通知内容のうち、ＬＥＤ等で表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示等がある。
【００４８】
そして、通知部５４の通知内容のうち、ランプ等により通知するものとしては、例えば、セルフタイマー通知ランプ等がある。このセルフタイマー通知ランプは、ＡＦ補助光と共用して用いても良い。
【００４９】
５６は電気的に消去・記録可能な不揮発性メモリであり、例えばＥＥＰＲＯＭ等が用いられる。
【００５０】
５８は識別情報保持部で、通信ユニット１１０、アンテナ１１２を介して通信装置３００と通信を行う際に、通信に先立って認証を行うための各種識別情報が格納されている。
【００５１】
６０、６２、６４、６６、６８、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００５２】
ここで、これらの操作手段の具体的な説明を行う。
【００５３】
７２はメインスイッチで、電源オン及び電源オフを切り替え設定することができる。
【００５４】
６０はモードダイアルスイッチで、自動撮影モード、パノラマ撮影モード、その他の撮影モード、再生モード、マルチ画面再生・消去モード、ＰＣ接続モード等の各機能モードを切り替え設定することができる。
【００５５】
６２はシャッタースイッチＳＷ１で、不図示のシャッターボタンの半押しによりＯＮとなり、ＡＦ処理、ＡＥ処理、ＡＷＢ処理、ＥＦ処理等の動作開始を指示する。
【００５６】
６４はシャッタースイッチＳＷ２で、不図示のシャッターボタンの全押しによりＯＮとなり、撮像素子１４から読み出した信号をＡ／Ｄ変換器１６、メモリ制御回路２２を介して画像データをメモリ３０に書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５７】
６６は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとのいずれかに設定することができる。
【００５８】
６８は圧縮モードスイッチで、ＪＰＥＧ圧縮の圧縮率を選択するため、或いは撮像素子の信号をそのままディジタル化して記録媒体に記録するＣＣＤＲＡＷモードを選択するためのスイッチである。
【００５９】
７０は各種ボタンやタッチパネル等からなる操作部で、メニューボタン、セットボタン、マクロボタン、マルチ画面再生改ページボタン、フラッシュ設定ボタン、セルフタイマーボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン、再生モード、マルチ画面再生・消去モード、ＰＣ接続モードなどの各機能モードを設定することができる再生スイッチ、シャッタースイッチＳＷ１を押したならばオートフォーカス動作を開始し、一旦合焦するとその合焦状態を保ち続けるワンショットＡＦモードと、シャッタースイッチＳＷ１を押している間は連続してオートフォーカス動作を続けるサーボＡＦモードとのいずれかを設定することができるＡＦモード設定スイッチ、画像表示部２８のＯＮ／ＯＦＦを設定する画像表示ＯＮ／ＯＦＦスイッチ、撮影直後に撮影した画像データを画像表示部２８で自動再生するクイックレビュー機能を設定するクイックレビューＯＮ／ＯＦＦスイッチ等がある。また、上記プラスボタン及びマイナスボタンの各機能は、回転ダイアルスイッチを備えることによって、より軽快に数値や機能を選択することが可能となる。
【００６０】
８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００６１】
８２、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源部である。
【００６２】
１０２は、撮像装置１００のレンズ１０を含む撮像部を覆う事により、撮像部の汚れや破損を防止する保護装置であるバリアである。
【００６３】
１０４は光学ファインダであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００６４】
１１０は通信ユニットで、Ｂｌｕｅｔｏｏｔｈ等のスペクトラム拡散通信、ＩｒＤＡ等の赤外線通信等の各種近距離高速データ通信機能を有する。
【００６５】
１１２は通信ユニット１１０により撮像装置１００を他の機器と接続するためのアンテナである。
【００６６】
＜通信装置３００の構成説明＞
図３は、図２に示す通信装置３００の詳細構成を示すブロック図である。
【００６７】
図３において、３１０は音声を電気信号に変換するマイク、３１２はマイクのアナログ出力信号をディジタル信号に変換するＡ／Ｄ変換器である。３１４はメモリ制御回路であり、Ａ／Ｄ変換器３１２の出力データがメモリ制御回路３１４を介してメモリ３２０に書き込まれ、また、メモリ３２０から読み出されたデータがＤ／Ａ変換器３１６に入力される。３１６はディジタル信号をアナログ信号に変換するＤ／Ａ変換器、３１８は電気信号を音声信号に変換するスピーカーである。
【００６８】
３２０はマイク３１０で入力した音声及び或いは撮像装置１００から送信された静止画像や動画像を格納するためのメモリであり、所定時間の音声及び或いは所定枚数の静止画像、所定時間の動画像を格納するのに充分な記憶容量を備えている。
【００６９】
３２２はメモリ３２０に格納された静止画像データや動画データをアナログ信号に変換するＤ／Ａ変換器、３２４はＤ／Ａ変換器３２２の出力画像信号を表示する画像表示部である。３２６は通信ユニットで、ＴＤＭＡ、ＣＤＭＡ、Ｗ−ＣＤＭＡ等の各種遠距離無線通信機能を有する。３２８は通信ユニット３２６により通信装置３００を他の通信装置及び或いは通信基地局と回線接続するためのアンテナである。
【００７０】
３３０は通信ユニットで、Ｂｌｕｅｔｏｏｔｈ等のスペクトラム拡散通信、ＩｒＤＡ等の赤外線通信等の各種近距離高速データ通信機能を有する。３３２は通信ユニット３３０により通信装置３００を他の機器と接続するためのアンテナである。
【００７１】
３５０は通信装置３００全体を制御する通信システム制御回路、３５２は通信システム制御回路３５０の動作用の定数、変数、プログラム等を記憶するメモリである。３５４は電気的に消去・記録可能な不揮発性メモリであり、例えばＥＥＰＲＯＭ等が用いられる。
【００７２】
３５６は識別情報保持部で、通信ユニット３３０、アンテナ３３２を介して撮像装置１００と通信を行う際に、通信に先立って認証を行うための各種識別情報が格納されている。
【００７３】
３６０は通信システム制御回路３５０でのプログラムの実行に応じて、文字、画像、音声等を用いて動作状態やメッセージ等を外部に通知するための通知部であり、例えばＬＣＤやＬＥＤ等による視覚的な表示を行う表示部や、音声による通知を行う発音素子などが用いられるが、これらの内１つ以上の組み合わせにより構成される。特に、表示部の場合には、通信装置３００の操作部３６２近辺の視認し易い単数或いは複数位置に設置されている。
【００７４】
３６２は通信システム制御回路３５０の各種の動作指示を入力するための操作手段であり、スイッチやダイアル、タッチパネル、視線検知によるポインティング、音声認識装置等の単数或いは複数の組み合わせで構成される。
【００７５】
操作手段３６２によれば、通信装置３００の電源オン／オフ、通話の実行（オフフック）／停止（オンフック）、電話番号入力、電話番号検索、通信モード切り替え、等の操作を行うことができる。
【００７６】
３６４は着信通知部で、他の通信装置や通信基地局から通話の着信があった場合に、呼出し音、発声音、音楽等の音声及び或いはアイコン、動画、静止画、発光等の画像及び或いは振動等により通信装置３００の使用者に着信を通知することができる。
【００７７】
３６６はコネクタ３９２に記録媒体２００が装着されているか否かを検知する記録媒体着脱検知部である。
【００７８】
３８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及び通信システム制御回路３５０の指示に基づいてＤＣ−ＤＣコンバータを制御し、必要な電圧を必要な期間、記録媒体を含む各部へ供給する。
【００７９】
３８２、３８４はコネクタ、３８６はアルカリ電池やリチウム電池等の一次電池やＮｉＣｄ電池やＮｉＭＨ電池、Ｌｉ−ｉｏｎ電池、Ｌｉポリマー等の二次電池、ＡＣアダプター等からなる電源手段である。
【００８０】
３９０はメモリカードやハードディスク等の記録媒体とのインタフェース、３９２はメモリカードやハードディスク等の記録媒体と接続を行うコネクタである。
【００８１】
なお、本実施の形態では記録媒体を取り付けるインターフェース及びコネクタを１系統持つものとして説明しているが、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００８２】
インターフェース及びコネクタとしては、ＰＣＭＣＩＡカードやＣＦ（コンパクトフラッシュ）カード、ＭＭＣ（マルチメディアカード）等の規格に準拠したものを用いて構成して構わない。
【００８３】
クトフラッシュ）カード等の規格に準拠したものを用いて構成して構わない。
さらに、インタフェース３９０、そしてコネクタ３９２をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００８４】
２００はメモリカードやハードディスク等の記録媒体である。記録媒体２００は、半導体メモリや磁気ディスク等から構成される記録部２０２、通信装置３００とのインターフェース２０４、通信装置３００と接続を行うコネクタ２０６、識別情報保持部２０８を備えている。
【００８５】
＜撮像装置１００の動作説明＞
次に、上記構成を有する撮像装置１００の第１の実施形態における動作を、図４乃至図７を参照して説明する。
【００８６】
図４及び図５は本第１の実施形態における撮像装置１００の主ルーチンのフローチャートを示す。図４及び図５を用いて、撮像装置１００の動作を説明する。
【００８７】
図４のステップＳ１０１において、電池交換等の電源投入により、システム制御回路５０はフラグや制御変数等を初期化すると共に、画像制御装置１００各部の初期化処理を行う。初期化後、システム制御回路５０は、電源制御部８０により電池等により構成される電源部８６の残容量や動作情況が、撮像装置１００の動作を継続するには問題があるか否かを判断する（ステップＳ１０２）。
【００８８】
電源部８６の残容量が撮像装置１００の動作を継続するのに問題がある場合はステップＳ１０３に進み、システム制御回路５０は、カメラ電池残量フラグを撮像装置１００の動作を継続するには問題がある状態であることを示すＥ（empty）の設定にして、ステップＳ１０６に進む。ステップＳ１０６でシステム制御回路５０は、通信ユニット１１０、アンテナ１１２を介し通信装置３００に対して所定の警告通知を行い、ステップＳ１０２に戻る。
【００８９】
また、電源部８６の残容量が所定の閾値より少ない場合は、ステップＳ１０２からステップＳ１０４に進み、システム制御回路５０は、カメラ電池残量フラグを撮像装置１００の動作を継続するには残り少ない状態であることを示すＬ（low）の設定にして、ステップＳ１０７に進む。
【００９０】
また、電源部８６の残容量が所定の閾値より多い場合は、ステップＳ１０５に進み、システム制御回路５０は、カメラ電池残量フラグを撮像装置１００の動作を継続するのに十分な状態であることを示すＨ（high）の設定にして、ステップＳ１０７に進む。ステップＳ１０７でシステム制御回路５０は、通信ユニット１１０、アンテナ１１２を介し通信装置３００に対して、撮像装置１００の各種設定状態を示す所定の状態通知を行い、ステップＳ１０８に進む。
【００９１】
なお、ステップＳ１０７で行われる所定の状態通知としては、単写／連写撮影通知、セルフタイマー通知、画像圧縮率通知、記録画素数通知、撮影枚数通知、残撮影可能枚数通知、シャッタースピード通知、絞り値通知、露出補正通知、フラッシュ通知、赤目緩和通知、マクロ撮影通知、ブザー設定通知、時計用電池残量通知、電池残量通知、エラー通知、通信Ｉ／Ｆ動作通知、日付け・時刻通知等がある。また、この状態通知に於いては、ステップＳ１０４或いはステップＳ１０５で設定したカメラ電池残量フラグの状態も通知される。
【００９２】
このように、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信等の撮像機能の動作状態を通知することが可能である。
【００９３】
次にステップＳ１０８で、システム制御回路５０は、メインスイッチ７２の状態を判断し、電源ＯＦＦに設定されていたならば、通信ユニット１１０及びアンテナ１１２を介し通信装置３００に対して、撮像装置１００が電源ＯＦＦに設定されたことを通知すると共に（ステップＳ１０９）、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ１１０）、ステップＳ１０２に戻る。
【００９４】
ステップＳ１０８で、メインスイッチ７２が電源ＯＮに設定されていたならば、システム制御回路５０は、通信ユニット１１０及びアンテナ１１２を介し通信装置３００に対して、撮像装置１００が電源ＯＮに設定されたことを通知して（ステップＳ１１１）、ステップＳ１１２に進む。
【００９５】
システム制御回路５０は、電源制御部８０により電池等により構成される電源部８６の残容量や動作情況が撮像装置１００の動作を継続するには問題があるか否かを判断する（ステップＳ１１２）。
【００９６】
電源部８６の残容量が撮像装置１００の動作を継続するのに問題がある場合はステップＳ１１３に進み、システム制御回路５０は、カメラ電池残量フラグを撮像装置１００の動作を継続するには問題がある状態であることを示すＥの設定にして、ステップＳ１１７に進む。
【００９７】
また、電源部８６の残容量が所定の閾値より少ない場合はステップＳ１１４に進み、システム制御回路５０は、カメラ電池残量フラグを撮像装置１００の動作を継続するには残り少ない状態であることを示すＬの設定にして、ステップＳ１１６に進む。
【００９８】
また、電源部８６の残容量が所定の閾値より多い場合はステップＳ１１５に進み、システム制御回路５０は、カメラ電池残量フラグを撮像装置１００の動作を継続するのに十分な状態であることを示すＨの設定にして、ステップＳ１１６に進む。
【００９９】
ステップＳ１１６において、システム制御回路５０は、撮像した画像データのバッファであるメモリ３０の動作状態が撮像装置１００の動作、特にメモリ３０に対する画像データの記憶読み出し動作に問題があるか否かを判断し、問題が無ければステップＳ１２０に進み、問題があるならばステップＳ１１７に進む。
【０１００】
ステップＳ１１７では、システム制御回路５０は、通信ユニット１１０及びアンテナ１１２を介し通信装置３００に対して所定の警告通知を行うと共に、ステップＳ１１８で、通知部５４及び／或いは画像表示部２８を用いて画像や音声により所定の警告表示を行う。そして、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ１１９）、ステップＳ１０２に戻る。
【０１０１】
メモリ３０に問題がなければ（ステップＳ１１６でＹＥＳ）、システム制御回路５０は、通信ユニット１１０及びアンテナ１１２を介し通信装置３００に対して、撮像装置１００の各種設定状態を示す所定の状態通知を行うと共に（ステップＳ１２０）、通知部５４及び或いは画像表示部２８を用いて画像や音声により電池残容量やメモリ３０の状態を含む撮像装置１００の各種設定状態の表示を行い（ステップＳ１２１）、図５のステップＳ１３１に進む。
【０１０２】
なお、ステップＳ１２０で行われる所定の状態通知としては、単写／連写撮影通知、セルフタイマー通知、画像圧縮率通知、記録画素数通知、撮影枚数通知、残撮影可能枚数通知、シャッタースピード通知、絞り値通知、露出補正通知、フラッシュ通知、赤目緩和通知、マクロ撮影通知、ブザー設定通知、時計用電池残量通知、電池残量通知、エラー通知、通信Ｉ／Ｆ動作通知、日付け・時刻通知等がある。また、この状態通知に於いては、ステップＳ１１４或いはステップＳ１１５で設定したカメラ電池残量フラグの状態も通知される。
【０１０３】
このように、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信等の撮像機能の動作状態を通知することが可能である。
【０１０４】
図５のステップＳ１３１ではシステム制御回路５０は、シャッタースイッチＳＷ１が押されたかどうかを判断し、押されていないならば、図４のステップＳ１０８に戻る。
【０１０５】
シャッタースイッチＳＷ１が押されたならば（ステップＳ１３１でＹＥＳ）、ステップＳ１３２に進み、システム制御回路５０は測距処理を行って撮影レンズ１０の焦点を被写体に合わせ、測光処理を行って絞り値及びシャッター時間を決定し、ホワイトバランス処理を行って色温度をあわせる。測光処理に於いて、必要であればフラッシュの設定も行う。
【０１０６】
なお、ステップＳ１３２の測距・測光処理においては、システム制御回路５０の内部メモリ或いはメモリ５２に記憶された撮影開始フラグ及び或いはＡＥロックフラグ及び或いはホワイトバランスモード設定フラグの状態に応じて、ＡＥ制御及び或いはＡＷＢ制御の実行の可否を判断し、判断結果に応じて各々の処理を行う。なお、このステップＳ１３２における測距・測光処理の詳細は、図６を用いて後述する。
【０１０７】
ステップＳ１３２の測距・測光処理を終えると、システム制御回路５０は、システム制御回路５０の内部メモリ或いはメモリ５２に記憶されたフラッシュフラグの状態を判断し（ステップＳ１３３）、フラッシュフラグが設定されていたならば、フラッシュ４８の充電を行い（ステップＳ１３４）、ステップＳ１３５に進む。また、フラッシュフラグが設定されていないならば、そのままステップＳ１３５に進む。
【０１０８】
システム制御回路５０は、シャッタースイッチＳＷ２が押されずに（ステップＳ１３５でＮＯ）、さらにシャッタースイッチＳＷ１も解除されたならば（ステップＳ１３６ＮＯ）、ステップＳ１０８に戻る。
【０１０９】
シャッタースイッチＳＷ２が押されたならば（ステップＳ１３５ＹＥＳ）、ステップＳ１３７においてシステム制御回路５０は、電源制御部８０により電池等により構成される電源部８６の残容量や動作情況が撮像装置１００の動作に問題を与えるものであるか否かを判断する。
【０１１０】
電源部８６の残容量が撮像装置１００の動作を継続するのに問題がある場合はステップＳ１３８に進み、システム制御回路５０は、カメラ電池残量フラグを撮像装置１００の動作を継続するには問題がある状態であることを示すＥの設定にして、ステップＳ１４１に進む。
【０１１１】
ステップＳ１４１において、システム制御回路５０は、通信ユニット１１０及びアンテナ１１２を介し通信装置３００に対して所定の警告通知を行うと共に、ステップＳ１４２で、通知部５４及び／或いは画像表示部２８を用いて画像や音声により所定の警告表示を行い、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ１４３）、図４のステップＳ１０２に戻る。
【０１１２】
また、電源部８６の残容量が所定の閾値より少ない場合は、ステップＳ１３７からステップＳ１３９に進み、システム制御回路５０は、カメラ電池残量フラグを撮像装置１００の動作を継続するには残り少ない状態であることを示すＬの設定にして、ステップＳ１４４に進む。
【０１１３】
また、電源部８６の残容量が所定の閾値より多い場合は、ステップＳ１４０でシステム制御回路５０は、カメラ電池残量フラグを撮像装置１００の動作を継続するのに十分な状態であることを示すＨの設定にして、ステップＳ１４４に進む。
【０１１４】
ステップＳ１４４において、システム制御回路５０は、通信ユニット１１０及びアンテナ１１２を介し通信装置３００に対して、撮像装置１００の各種設定状態を示す所定の状態通知を行うと共に、ステップＳ１４５において通知部５４及び或いは画像表示部２８を用いて画像や音声により電池残容量やメモリ３０の状態を含む撮像装置１００の各種設定状態の表示を行い、ステップＳ１６１に進む。
【０１１５】
なお、所定の状態通知としては、単写／連写撮影通知、セルフタイマー通知、画像圧縮率通知、記録画素数通知、撮影枚数通知、残撮影可能枚数通知、シャッタースピード通知、絞り値通知、露出補正通知、フラッシュ通知、赤目緩和通知、マクロ撮影通知、ブザー設定通知、時計用電池残量通知、電池残量通知、エラー通知、通信Ｉ／Ｆ動作通知、日付け・時刻通知等がある。また、この状態通知に於いては、ステップＳ１３９或いはステップＳ１４０で設定したカメラ電池残量フラグの状態も通知される。
【０１１６】
このように、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信等の撮像機能の動作状態を通知することが可能である。
【０１１７】
ステップＳ１６１において、システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理からなる撮影処理を実行する。このステップＳ１６１における撮影処理の詳細は図７を用いて後述する。
【０１１８】
システム制御回路５０は、メモリ制御回路２２そして必要に応じて画像処理回路２０を用いて、メモリ３０に書き込まれた撮影画像データを読み出して各種処理を行う現像処理（ステップＳ１６２）、また、必要に応じて、圧縮・伸長回路３２を用いて設定したモードに応じた画像圧縮処理を行う圧縮処理を行った後（ステップＳ１６３）、メモリ３０に所定の処理を行った画像データを記憶する（ステップＳ１６４）。
【０１１９】
ステップＳ１６６において、システム制御回路５０はシャッタースイッチＳＷ２の状態を判断し、シャッタースイッチＳＷ２が放されたならば、所定の処理を行ってメモリ３０に記憶した画像データを読み出し、通信ユニット１１０及びアンテナ１１２を介して通信装置３００に対して画像通信を行う（ステップＳ１６６）画像通信を終了したならば（ステップＳ１６７でＹＥＳ）、図４のステップＳ１０８に戻る。
【０１２０】
次に、図６のフローチャートを参照して、図５のステップＳ１３２における測距・測光処理を詳細に説明する。
【０１２１】
ステップＳ２０１において、システム制御回路５０は、撮像素子１４から電荷信号を読み出し、Ａ／Ｄ変換器１６を介して画像処理回路２０に撮影画像データを逐次読み込む。この逐次読み込まれた画像データを用いて、画像処理回路２０はＴＴＬ方式のＡＥ処理、ＥＦ処理、ＡＦ処理に用いる所定の演算を行っている。
【０１２２】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１２３】
画像処理回路２０での演算結果を用いて、システム制御回路５０は露出（ＡＥ）が適正と判断するまで（すなわち、ステップＳ２０２でＹＥＳとなるまで）、ステップＳ２０３で露光制御部４０を用いてＡＥ制御を行う。
【０１２４】
ステップＳ２０３でＡＥ制御で得られた測定データを用いて、システム制御回路５０はステップＳ２０４においてフラッシュが必要か否かを判断し、フラッシュが必要ならばフラッシュフラグをセットして、ステップＳ２０５でフラッシュ４８を充電する。
【０１２５】
露出（ＡＥ）が適正と判断したならば（ステップＳ２０２でＹＥＳ）、測定データ及び或いは設定パラメータをシステム制御回路５０の内部メモリ或いはメモリ５２に記憶する。
【０１２６】
次に、画像処理回路２０での演算結果及びＡＥ制御で得られた測定データを用いて、システム制御回路５０はホワイトバランス（ＡＷＢ）が適正と判断するまで（すなわち、ステップＳ２０６でＹＥＳとなるまで）、ステップＳ２０７で画像処理回路２０を用いて色処理のパラメータを調節してＡＷＢ制御を行う。
【０１２７】
ホワイトバランス（ＡＷＢ）が適正と判断したならば（ステップＳ２０６でＹＥＳ）、測定データ及び或いは設定パラメータをシステム制御回路５０の内部メモリ或いはメモリ５２に記憶する。
【０１２８】
更に、ＡＥ制御及びＡＷＢ制御で得られた測定データを用いて、システム制御回路５０は焦点（ＡＦ）が合焦したと判断するまで（すなわち、ステップＳ２０８でＹＥＳとなるまで）、ステップＳ２０９で測距制御部４２を用いてＡＦ制御を行う。
【０１２９】
焦点（ＡＦ）が合焦したと判断したならば（ステップＳ２０８でＹＥＳ）、測定データ及び或いは設定パラメータをシステム制御回路５０の内部メモリ或いはメモリ５２に記憶し、図５のステップＳ１３２における測距・測光処理ルーチンを終了する。
【０１３０】
次に、図７のフローチャートを参照して、図５のステップＳ１６１における撮影処理を詳細に説明する。
【０１３１】
ステップＳ３０１において、システム制御回路５０は、システム制御回路５０の内部メモリ或いはメモリ５２に記憶される測光データに従い、露光制御部４０によって、絞り機能を有するシャッター１２を絞り値に応じて開放して、ステップＳ３０２で撮像素子１４の露光を開始する。
【０１３２】
ステップＳ３０３で、フラッシュ・フラグによりフラッシュ４８による調光が必要か否かを判断し、必要な場合はフラッシュを発光させる（ステップＳ３０４）。
【０１３３】
システム制御回路５０は、ステップＳ３０５で測光データに従って撮像素子１４の露光終了を待ち、露光が終了すると、ステップＳ３０６でシャッター１２を閉じて撮像素子１４から電荷信号を読み出し、ステップＳ３０７においてＡ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む。
【０１３４】
一連の処理を終えると、図５のステップＳ１６１における撮影処理ルーチンを終了する。
【０１３５】
＜通信装置３００の動作説明＞
次に図８乃至図１０を参照して、第１の実施形態における通信装置３００の動作を説明する。
【０１３６】
図８及び図９は本第１の実施形態における通信装置３００の主ルーチンのフローチャートを示す。図８及び図９を用いて、通信装置３００の動作を説明する。
【０１３７】
図８のステップＳ４０１において、電池交換等の電源投入により、通信システム制御回路３５０はフラグや制御変数等を初期化し、続いてステップＳ４０２でカメラ表示フラグを解除する。なお、カメラ表示フラグの設定状態は、通信システム制御回路３５０の内部メモリ及び或いはメモリ３５２に記憶する。
【０１３８】
通信システム制御回路３５０は、操作手段３６２に含まれる電源スイッチの設定状態を判断し、電源スイッチが電源ＯＦＦに設定されていたならば（ステップＳ４０３でＮＯ）、各表示手段の表示を終了状態に変更し、フラグや制御変数等を含む必要なパラメータや設定値、設定モードを不揮発性メモリ３５４に記録し、電源制御部３８０により画像表示部３２４を含む通信装置３００各部の不要な電源を遮断する等の所定の終了処理を行った後（ステップＳ４０４）、ステップＳ４０３に戻る。
【０１３９】
操作手段３６２に含まれる電源スイッチが電源ＯＮに設定されていたならば（ステップＳ４０３でＹＥＳ）、ステップＳ４０５に進み、通信システム制御回路３５０は、電源制御部３８０により電池等により構成される電源部３８６の残容量や動作情況が通信装置３００の動作に問題がを与えるものであるか否かを判断する。
【０１４０】
電源部３８６の残容量や動作情況が通信装置３００の動作に問題を与えるならば、通信システム制御回路３５０は、携帯電話電池残量フラグを通信装置３００の動作を継続するには問題がある状態であることを示すＥ（empty）の設定にして（ステップＳ４０６）、ステップＳ４０９に進む。ステップＳ４０９で通信システム制御回路３５０は、通知部３６０を用いて画像や音声により所定の警告表示を行った後に、各表示手段の表示を終了状態に変更し、フラグや制御変数等を含む必要なパラメータや設定値、設定モードを不揮発性メモリ３５４に記録し、電源制御部３８０により画像表示部３２４を含む通信装置３００各部の不要な電源を遮断する等の所定の終了処理を行った後（ステップＳ４１０）、ステップＳ４０３に戻る。
【０１４１】
また、電源部３８６の残容量が所定の閾値より少ない場合は、ステップＳ４０５からステップＳ４０７に進み、通信システム制御回路３５０は、携帯電話電池残量フラグを通信装置３００の動作を継続するには残り少ない状態であることを示すＬ（low）の設定にして、ステップＳ４１１に進む。
【０１４２】
また、電源部３８６の残容量が所定の閾値より多い場合は、ステップＳ４０８に進み、通信システム制御回路３５０は、携帯電話電池残量フラグを通信装置３００の動作を継続するのに十分な状態であることを示すＨ（high）の設定にして、ステップＳ４１１に進む。
【０１４３】
ステップＳ４１１において、通信システム制御回路３５０は、通知部３６０を用いて画像や音声により電池残容量の状態を含む通信装置３００の各種設定状態の表示を行った後、他の通信装置或いは通信基地局からの着信呼出しを待つ待ち受け状態で待機する（ステップＳ４１２）。
【０１４４】
ステップＳ４１３で通信システム制御回路３５０は、撮像装置１００から、通信ユニット１１０、アンテナ１１２、アンテナ３３２、通信ユニット３３０を介してコマンドやデータ等の通知を受信しているかどうかを判断する。撮像装置１００からコマンドやデータ等の通知を受信していないならば（ステップＳ４１３ＮＯ）、ステップＳ４１５に進み、撮像装置１００からコマンドやデータ等の通知を受信したならば（ステップＳ４１３でＹＥＳ）、通信システム制御回路３５０は、撮像装置１００からの通知内容に応じた所定の処理を行う受信処理を行った後に（ステップＳ４１４）、ステップＳ４１５に進む。
【０１４５】
なお、ステップＳ４１４における受信処理の詳細は図１０を用いて後述する。
【０１４６】
ステップＳ４１５において、通信システム制御回路３５０は、通信システム制御回路３５０の内部メモリ及び或いはメモリ３２０及び或いはメモリ３５２に記憶されたカメラ表示フラグの設定状態を判断する。カメラ表示フラグが設定されていないならば（ステップＳ４１５でＮＯ）、ステップＳ４１７に進み、カメラ表示フラグが設定されているならば（ステップＳ４１５でＹＥＳ）、通信システム制御回路３５０は、メモリ３２０及び或いはメモリ３５２に記憶した撮像装置１００の状態を示す各種情報を、メモリ３２０及び或いはメモリ３５２から読み出して通知部３６０により画像及び或いは音声によって表示した後（ステップＳ４１６）、ステップＳ４１７に進む。
【０１４７】
なお、撮像装置１００の状態を示す各種情報としては、単写／連写撮影情報、セルフタイマー情報、画像圧縮率情報、記録画素数情報、撮影枚数情報、残撮影可能枚数情報、シャッタースピード情報、絞り値情報、露出補正情報、フラッシュ情報、赤目緩和情報、マクロ撮影情報、ブザー設定情報、時計用電池残量情報、電池残量情報、エラー情報、通信Ｉ／Ｆ動作情報、日付け・時刻情報、等がある。
【０１４８】
このように、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信等の撮像機能の動作状態を表示することが可能である。
【０１４９】
また、上記の他に、撮像装置１００の状態を示す各種情報を画像表示部３２４を用いて表示しても良い。
【０１５０】
ステップＳ４１７において、通信システム制御回路３５０は、撮像装置１００から、通信ユニット１１０、アンテナ１１２、アンテナ３３２、通信ユニット３３０を介した画像通信が行われているかどうかを判断する。撮像装置１００からの画像通信でないならば（ステップＳ４１７でＮＯ）、図９のステップＳ４３１に進み、撮像装置１００からの画像通信であったならば（ステップＳ４１７でＹＥＳ）、通信システム制御回路３５０は、撮像装置１００から通信ユニット１１０、アンテナ１１２、アンテナ３３２、通信ユニット３３０を介して受信した画像データをメモリ３２０に順次記憶し、そして、記憶した画像データを順次読み出してインタフェース３９０、コネクタ３９２、コネクタ２０６、インタフェース２０４を介して記録媒体２００の記録部２０２に記録する（ステップＳ４１８）。
【０１５１】
なお、メモリ３２０に記憶した画像データを、Ｄ／Ａ変換器３２２を介して画像表示部３２４に表示することも可能である。この場合、画像表示部３２４の仕様に合わせて、メモリ制御手段３１４によって所定の補間或いは間引き処理、所定の色処理を行った後に、画像表示部３２４に受信した画像データを表示する。一連の記録動作を終えたならば、図９のステップＳ４３１に進む。
【０１５２】
ステップＳ４３１において、通信システム制御回路３５０は、他の通信装置或いは通信基地局から、アンテナ３２８及び通信ユニット３２６を介して着信呼出しがあるかどうかを判断する。他の通信装置或いは通信基地局から着信呼出しが無いならば（ステップＳ４３１でＮＯ）、ステップＳ４３２に進み、他の通信装置或いは通信基地局から着信呼出しがあるならば（ステップＳ４３１でＹＥＳ）、ステップＳ４３９に進む。
【０１５３】
ステップＳ４３２において、通信システム制御回路３５０は、操作手段３６２に含まれるオフフック（通話開始）スイッチが設定されているかどうかを判断し、設定されていないならば（ステップＳ４３２でＮＯ）、図８のステップＳ４０３に戻る。
【０１５４】
操作手段３６２に含まれるオフフック（通話開始）スイッチが設定され（ステップＳ４３２でＹＥＳ）、操作手段３６２によって発信呼出しの設定が行われたならば（ステップＳ４３４でＹＥＳ）、通信システム制御回路３５０は、設定された電話番号に応じた発信呼出しを他の通信装置或いは通信基地局に対して行う（ステップＳ４３５）。
【０１５５】
他の通信装置或いは通信基地局との回線が接続されない間（ステップＳ４３６ＮＯ）、操作手段３６２に含まれるオンフック（通話打ち切り）スイッチが設定されるまで（すなわちステップＳ４３７でＹＥＳとなるまで）、通信システム制御回路３５０は、ステップＳ４３５に戻って一連の処理を繰り返す。
【０１５６】
他の通信装置或いは通信基地局との回線が接続されたならば（ステップＳ４３６でＹＥＳ）、ステップＳ４４５に進む。
【０１５７】
また、ステップＳ４３１で着信呼出しを検知すると、ステップＳ４３９において通信システム制御回路３５０は、着信通知部３６４による呼出し音や振動等を用いた通信装置３００の使用者への着信通知を開始する。
【０１５８】
操作手段３６２に含まれるオフフック（通話開始）スイッチが設定されないならば（ステップＳ４４０でＮＯ）、通信システム制御回路３５０は、他の通信装置或いは通信基地局からの着信呼出しが終了したかどうかを判断し（ステップＳ４４１）、着信呼出しが終了していたならば、着信通知部３６４による呼出し音や振動等を用いた通信装置３００の使用者への着信通知を終了し（ステップＳ４４２）、図８のステップＳ４０３に戻る。また、着信呼出しが終了していないならば（ステップＳ４４１でＮＯ）、ステップＳ４４０に戻る。
【０１５９】
操作手段３６２に含まれるオフフック（通話開始）スイッチが設定されたならば（ステップＳ４４０でＹＥＳ）、通信システム制御回路３５０は、着信通知部３６４による呼出し音や振動等を用いた通信装置３００の使用者への着信通知を終了し（ステップＳ４４３）、アンテナ３２８及び通信ユニット３２６を介して、通信装置３００に対して着信呼出しを行った他の通信装置或いは通信基地局を介した他の通信装置との回線を接続し（ステップＳ４４４）、他の通信装置或いは通信基地局を介した他の通信装置との通話動作を行う（ステップＳ４４５）。
【０１６０】
通話動作に於いては、他の通信装置或いは通信基地局を介した他の通信装置から、アンテナ３２８及び通信ユニット３２６を介して受信した音声データをメモリ３２０に記憶し、メモリ３２０から読み出した音声データをメモリ制御回路３１４によって所定の復号処理や音声処理を施した後に、Ｄ／Ａ変換器３１６を介してスピーカー３１８で音声信号に変換して伝えることができる。
【０１６１】
また、発声した音声をマイク３１０及びＡ／Ｄ変換器３１６を介してメモリ制御回路３１４で所定の音声処理や符号化を施してメモリ３２０に記憶し、メモリ３２０から読み出した音声データを通信ユニット３２６及びアンテナ３２８を介して他の通信装置或いは通信基地局を介した他の通信装置に送信することができる。
【０１６２】
他の通信装置或いは通信基地局を介した他の通信装置からの通話が終了するか（ステップＳ４４６でＹＥＳ）、或いは通話が終了していなくても（ステップＳ４４６でＮＯ）、操作手段３６２に含まれるオンフック（通話打ち切り）スイッチが設定されたならば（ステップＳ４４７でＹＥＳ）、通信システム制御回路３５０は、通話を行っていた他の通信装置或いは通信基地局を介した他の通信装置との回線を切断し（ステップＳ４４８）、図８のステップＳ４０３に戻る。
【０１６３】
次に、図１０のフローチャートを参照して、図８のステップＳ４１４における受信処理を詳細に説明する。
【０１６４】
ステップＳ５０１において、通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題が無いと判断したならば（ステップＳ５０１でＹＥＳ）、ステップＳ５０３に進む。なお、撮像装置１００の識別情報保持部５８の内容を確認する際に、通信装置３００の識別情報保持部３５６の情報を用いて行ってもよい。
【０１６５】
これらの識別情報の確認により、撮像装置１００と通信装置３００間の認証を行うことができる。
【０１６６】
識別情報保持部５８の内容を確認した結果、撮像装置１００と通信を行うには問題があると判断したならば（ステップＳ５０１でＮＯ）、通信システム制御回路３５０は、撮像装置１００からの通知に対して受信処理を行わずに、通信システム制御回路３５０の内部メモリ及び或いはメモリ３５２の所定領域に記憶されたカメラ表示フラグを解除して（ステップＳ５０２）、受信処理ルーチンを終了する。
【０１６７】
ステップＳ５０３では、通信システム制御回路３５０は、撮像装置１００から、通信ユニット１１０、アンテナ１１２、アンテナ３３２、通信ユニット３３０を介して受信した通知の内容が撮像装置１００からの警告通知であるかどうかを判断する。受信した通知の内容が撮像装置１００からの警告通知であったならば（ステップＳ５０３でＹＥＳ）、通信システム制御回路３５０は、通信システム制御回路３５０の内部メモリ及び或いはメモリ３５２の所定領域に、警告表示内容を設定して記憶すると共に（ステップＳ５０４）、カメラ表示フラグを設定して記憶した後（ステップＳ５０５）、受信処理ルーチンＳ４１４を終了する。
【０１６８】
このように、撮像装置１００から通知された撮像装置１００の警告通知を、通信装置３００の通知部３６０により表示することが可能となる。
【０１６９】
受信した通知の内容が撮像装置１００からの警告通知ではなく（ステップＳ５０３でＮＯ）、撮像装置１００からの状態通知であると判断したならば（ステップＳ５０６でＹＥＳ）、通信システム制御回路３５０は、撮像装置１００からの状態通知の内容を判断する（ステップＳ５０７）。
【０１７０】
撮像装置１００からの状態通知の内容を判断した結果、その他の状態通知であったならば、通知内容に従った表示を設定して（ステップＳ５０８）、受信処理ルーチンＳ４１４を終了する。
【０１７１】
なお、その他の状態通知としては、単写／連写撮影通知、セルフタイマー通知、画像圧縮率通知、記録画素数通知、撮影枚数通知、残撮影可能枚数通知、シャッタースピード通知、絞り値通知、露出補正通知、フラッシュ通知、赤目緩和通知、マクロ撮影通知、ブザー設定通知、時計用電池残量通知、エラー通知、通信Ｉ／Ｆ動作通知、日付け・時刻通知等がある。
【０１７２】
このように、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信等の撮像機能の動作状態を通知することが可能である。
【０１７３】
ステップＳ５０７で撮像装置１００からの状態通知の内容を判断した結果、電池残量に関する状態通知であったならば、通信システム制御回路３５０は、通知された電池残量の状態に応じて（ステップＳ５０９）、カメラ電池残量表示を撮像装置１００の動作を継続するのに十分な状態であることを示すＨに設定（ステップＳ５１０）、或いはカメラ電池残量表示を撮像装置１００の動作を継続するには残り少ない状態であることを示すＬに設定し（ステップＳ５１１）、受信処理ルーチンを終了する。
【０１７４】
このように、撮像装置１００から通知された撮像装置１００の電池残量状態を、通信装置３００の通知部３６０により表示する設定をすることが可能となる。
【０１７５】
また、受信した通知の内容が、撮像装置１００からの状態通知でなく（ステップＳ５０６でＮＯ）、撮像装置１００からの電源ＯＮ通知であると判断したならば（ステップＳ５１２でＹＥＳ）、通信システム制御回路３５０は、通信システム制御回路３５０の内部メモリ及び或いはメモリ３５２の所定領域に記憶されたカメラ表示フラグを解除して（ステップＳ５１３）、受信処理ルーチンを終了する。
【０１７６】
また、受信した通知の内容が、撮像装置１００からの電源ＯＮ通知でなく（ステップＳ５１２でＮＯ）、撮像装置１００からの電源ＯＦＦ通知である（ステップＳ５１４でＹＥＳ）と判断したならば、通信システム制御回路３５０は、通信システム制御回路３５０の内部メモリ及び或いはメモリ３５２の所定領域に記憶されたカメラ表示フラグを設定して（ステップＳ５１５）、受信処理ルーチンを終了する。
【０１７７】
このように、ステップＳ５１０或いはステップＳ５１１において設定された撮像装置１００の電池残量状態を、撮像装置１００が電源ＯＮになったことが通知されたならば通信装置３００の通知部３６０により表示せず、撮像装置１００が電源ＯＦＦになったことが通知されたならば通信装置３００の通知部３６０により表示することが可能となる。
【０１７８】
これにより、撮像装置１００が電源ＯＦＦ状態で使用されていない場合に、通信装置３００によって撮像装置１００の電池残量状態を表示することができる。
【０１７９】
以上説明した様に、第１の実施形態によれば、撮像装置１００は撮像装置１００の状態を通信装置３００に通知し、通信装置３００は通知された撮像装置１００の状態を判断し、判断した結果に応じて撮像装置１００の状態表示を通信装置３００において行うことが可能となる。
【０１８０】
また、撮像装置１００は撮像装置１００の電源ＯＮ／ＯＦＦ状態と電池残量状態を含む各種状態を通信装置３００に通知し、通信装置３００は通知された撮像装置１００の電源ＯＮ／ＯＦＦ状態を判断し、判断した結果に応じて撮像装置１００の電池残量状態を含む各種状態表示を通信装置３００において行うことが可能となる。
【０１８１】
そして、撮像装置１００が電源ＯＦＦ状態であると判断した場合に、通信装置３００において撮像装置１００の電池残量状態を含む各種状態表示を行うことが可能となる。
【０１８２】
［第２の実施形態］
次に、本発明の第２の実施形態を説明する。なお、撮像システムの各装置の構成は第１の実施形態において図１乃至図３を参照して説明したものと同様であるので、ここでは説明を省略する。
【０１８３】
＜撮像装置１００の動作説明＞
まず、図１１及び図１２を参照して、撮像装置１００の第２の実施形態における動作を説明する。図１１及び図１２は本第２の実施形態における撮像装置１００の主ルーチンのフローチャートを示す。
【０１８４】
図１１において、ステップＳ６０１乃至Ｓ６０８の処理は、第１の実施形態における図４のステップＳ１０１乃至Ｓ１０８とそれぞれ同様であるので、説明を省略する。
【０１８５】
ステップＳ６０８においてメインスイッチ７２が電源ＯＦＦに設定されていると判断されると、処理はステップＳ６１０に進み、各表示手段の表示を終了状態に変更し、レンズユニット３００が保護手段のバリア等を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後、ステップＳ６０２に戻る。このように、本第２の実施形態においては、第１の実施形態とは異なり、撮像装置１００が電源ＯＦＦに設定されたことを通信装置３００に通知せずに、終了処理を行う。
【０１８６】
メインスイッチ７２が電源ＯＮに設定されていたならば（ステップＳ６０８でＹＥＳ）、システム制御回路５０は、電源制御部８０により電池等により構成される電源部８６の残容量や動作情況が撮像装置１００の動作を継続するには問題があるか否かを判断する（ステップＳ６１２）。このように、本第２の実施形態においては、第１の実施形態とは異なり、撮像装置１００が電源ＯＮに設定されたことを通信装置３００に通知せずに、次の処理を行う。
【０１８７】
電源部８６の残容量が撮像装置１００の動作を継続するには問題がある場合はステップＳ６１３に進み、システム制御回路５０は、カメラ電池残量フラグを撮像装置１００の動作を継続するには問題がある状態であることを示すＥの設定にして、ステップＳ６１８に進む。
【０１８８】
また、電源部８６の残容量が所定の閾値より少ない場合はステップＳ６１４に進み、システム制御回路５０は、カメラ電池残量フラグを撮像装置１００の動作を継続するには残り少ない状態であることを示すＬの設定にして、ステップＳ６１６に進む。
【０１８９】
また、電源部８６の残容量が所定の閾値より多い場合はステップＳ６１５に進み、システム制御回路５０は、カメラ電池残量フラグを撮像装置１００の動作を継続するのに十分な状態であることを示すＨの設定にして、ステップＳ６１６に進む。
【０１９０】
ステップＳ６１６において、システム制御回路５０は、撮像した画像データのバッファであるメモリ３０の動作状態が撮像装置１００の動作、特にメモリ３０に対する画像データの記憶読み出し動作に問題があるか否かを判断し、問題が無ければステップＳ６２１に進み、問題があるならばステップＳ６１８に進む。
【０１９１】
ステップＳ６１８では、システム制御回路５０は、通知部５４及び／或いは画像表示部２８を用いて画像や音声により所定の警告表示を行い、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ６１９）、ステップＳ６０２に戻る。このように、本第２の実施形態においては、第１の実施形態とは異なり、撮像装置１００はメモリに問題があることを通信装置３００に通知せずに、次の処理を行う。
【０１９２】
メモリ３０に問題がなければ（ステップＳ６１６でＹＥＳ）、システム制御回路５０は、通知部５４及び或いは画像表示部２８を用いて画像や音声により電池残容量やメモリ３０の状態を含む撮像装置１００の各種設定状態の表示を行い（ステップＳ６２１）、図１２のステップＳ６３１に進む。このように、本第２の実施形態においては、第１の実施形態とは異なり、撮像装置１００は各種設定状態を通信装置３００に通知せずに、次の処理に移行する。
【０１９３】
図１２のステップＳ６３１乃至Ｓ６４０の処理は、上記第１の実施形態で図５を参照して説明したステップＳ１３１乃至Ｓ１４０に示す処理とそれぞれ同様であるので、説明を省略する。
【０１９４】
ステップＳ６３８でシステム制御回路５０が、カメラ電池残量フラグを撮像装置１００の動作を継続するには問題がある状態であることを示すＥの設定した後、ステップＳ６４２においてシステム制御回路５０は、通知部５４及び ／或いは画像表示部２８を用いて画像や音声により所定の警告表示を行い、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ６４３）、図１１のステップＳ６０２に戻る。このように、本第２の実施形態においては、第１の実施形態とは異なり、撮像装置１００は通信装置３００に対する警告通知を行わずに、次の処理に移行する。
【０１９５】
また、ステップＳ６３９でカメラ電池残量フラグを撮像装置１００の動作を継続するには残り少ない状態であることを示すＬの設定後、またはステップＳ６４０でカメラ電池残量フラグを撮像装置１００の動作を継続するのに十分な状態であることを示すＨの設定後、ステップＳ６４５において、システム制御回路５０は、通知部５４及び或いは画像表示部２８を用いて画像や音声により電池残容量やメモリ３０の状態を含む撮像装置１００の各種設定状態の表示を行い、ステップＳ６６１に進む。このように、本第２の実施形態においては、第１の実施形態とは異なり、撮像装置１００は各種設定状態を通信装置３００に通知せずに、次の処理に移行する。
【０１９６】
ステップＳ６６１以降の処理は、上記第１の実施形態において説明した図５のステップＳ１６１以降の処理と同様であるので、ここでは説明を省略する。
【０１９７】
また、ステップＳ６３２における測距・測光処理は図６に示す動作を行い、ステップＳ６６１における撮影処理は、図７に示す動作を行う。
【０１９８】
＜通信装置３００の動作説明＞
次に、図１３乃至図１５を参照して、通信装置３００の第２の実施形態における動作を説明する。
【０１９９】
図１３及び図１４は本第２の実施形態における通信装置３００の主ルーチンのフローチャートを示す。
【０２００】
図１３に示すステップＳ７０１乃至Ｓ７１８の動作は、上記第１の実施形態において上記図８を参照して説明したステップＳ４０１乃至Ｓ４１８の動作と同様であるため説明を省略する。
【０２０１】
図１４のステップＳ７３１において、通信システム制御回路３５０は、他の通信装置或いは通信基地局から、アンテナ３２８及び通信ユニット３２６を介して着信呼出しがあるかどうかを判断する。他の通信装置或いは通信基地局から着信呼出しが無いならば（ステップＳ７３１でＮＯ）、ステップＳ７３２に進み、他の通信装置或いは通信基地局から着信呼出しがあるならば（ステップＳ７３１でＹＥＳ）、ステップＳ７３８に進む。
【０２０２】
ステップＳ７３２において、通信システム制御回路３５０は、操作手段３６２に含まれるオフフック（通話開始）スイッチが設定されているかどうかを判断し、設定されていないならば（ステップＳ７３２でＮＯ）、図１３のステップＳ７０３に戻る。
【０２０３】
操作手段３６２に含まれるオフフック（通話開始）スイッチが設定されたならば（ステップＳ７３２でＹＥＳ）、ステップＳ７３３において通信システム制御回路３５０は、通信システム制御回路３５０の内部メモリ及び／或いはメモリ３５２の所定領域に記憶されたカメラ表示フラグを解除する。これにより、通信装置３００での通話動作が行われている間は撮像装置１００に関する表示を一旦中止して、通信装置３００に関する表示を行うことができる。
【０２０４】
処理はステップＳ７３４に進み、操作手段３６２によって発信呼出しの設定が行われたかを判断し、行われないならば（ステップＳ７３４でＮＯ）、ステップＳ７３２に戻り、操作手段３６２によって発信呼出しの設定が行われたならば（ステップＳ７３４でＹＥＳ）、通信システム制御回路３５０は、設定された電話番号に応じた発信呼出しを他の通信装置或いは通信基地局に対して行う（ステップＳ７３５）。
【０２０５】
他の通信装置或いは通信基地局との回線が接続されない間（ステップＳ７３６でＮＯ）、操作手段３６２に含まれるオンフック（通話打ち切り）スイッチが設定されるまで（すなわちステップＳ７３７でＹＥＳとなるまで）、通信システム制御回路３５０は、ステップＳ７３５に戻って一連の処理を繰り返す。
【０２０６】
他の通信装置或いは通信基地局との回線が接続されたならば（ステップＳ７３６でＹＥＳ）、ステップＳ７４５に進む。
【０２０７】
また、ステップＳ４３１で着信呼出しを検知すると、通信システム制御回路３５０は、通信システム制御回路３５０の内部メモリ及び或いはメモリ３５２の所定領域に記憶されたカメラ表示フラグを解除すると共に（ステップＳ７３８）、着信通知部３６４による呼出し音や振動等を用いた通信装置３００の使用者への着信通知を開始する（ステップＳ７３９）。
【０２０８】
これにより、通信装置３００での通話動作が行われている間は撮像装置１００に関する表示を一旦中止して、通信装置３００に関する表示を行うことができる。
【０２０９】
操作手段３６２に含まれるオフフック（通話開始）スイッチが設定されないならば（ステップＳ７４０でＮＯ）、通信システム制御回路３５０は、他の通信装置或いは通信基地局からの着信呼出しが終了したかどうかを判断し（ステップＳ７４１）、着信呼出しが終了していたならば、着信通知部３６４による呼出し音や振動等を用いた通信装置３００の使用者への着信通知を終了し（ステップＳ７４２）、図１３のステップＳ７０３に戻る。また、着信呼出しが終了していないならば（ステップＳ７４１でＮＯ）、ステップＳ７４０に戻る。
【０２１０】
操作手段３６２に含まれるオフフック（通話開始）スイッチが設定されたならば（ステップＳ７４０でＹＥＳ）、通信システム制御回路３５０は、着信通知部３６４による呼出し音や振動等を用いた通信装置３００の使用者への着信通知を終了し（ステップＳ７４３）、アンテナ３２８及び通信ユニット３２６を介して、通信装置３００に対して着信呼出しを行った他の通信装置或いは通信基地局を介した他の通信装置との回線を接続し（ステップＳ７４４）、他の通信装置或いは通信基地局を介した他の通信装置との通話動作を行う（ステップＳ７４５）。
【０２１１】
通話動作に於いては、他の通信装置或いは通信基地局を介した他の通信装置から、アンテナ３２８及び通信ユニット３２６を介して受信した音声データをメモリ３２０に記憶し、メモリ３２０から読み出した音声データをメモリ制御回路３１４によって所定の復号処理や音声処理を施した後に、Ｄ／Ａ変換器３１６を介してスピーカー３１８で音声信号に変換して伝えることができる。
【０２１２】
また、発声した音声をマイク３１０及びＡ／Ｄ変換器３１６を介してメモリ制御回路３１４で所定の音声処理や符号化を施してメモリ３２０に記憶し、メモリ３２０から読み出した音声データを通信ユニット３２６及びアンテナ３２８を介して他の通信装置或いは通信基地局を介した他の通信装置に送信するができる。
【０２１３】
他の通信装置或いは通信基地局を介した他の通信装置からの通話が終了するか（ステップＳ７４６でＹＥＳ）、或いは通話が終了していなくても（ステップＳ７４６でＮＯ）、操作手段３６２に含まれるオンフック（通話打ち切り）スイッチが設定されたならば（ステップＳ７４７でＹＥＳ）、通信システム制御回路３５０は、通話を行っていた他の通信装置或いは通信基地局を介した他の通信装置との回線を切断し（ステップＳ７４８）、通信システム制御回路３５０の内部メモリ及び或いはメモリ３５２の所定領域に記憶されたカメラ表示フラグを設定した後に（ステップＳ７４９）、図１３のステップＳ７０３に戻る。
【０２１４】
これにより、通信装置３００での通話動作が終了したならば、撮像装置１００に関する表示を再び行うことができる。
【０２１５】
なお、撮像装置１００に関する表示は、通信装置３００に関する表示の代わりに行っても良いし、撮像装置１００に関する表示と通信装置３００に関する表示を共に行うようにしても良い。
【０２１６】
次に、図１５のフローチャートを参照して、図１３のステップＳ７１４における受信処理を詳細に説明する。
【０２１７】
ステップＳ８０１において、通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題が無いと判断したならば（ステップＳ８０１でＹＥＳ）、ステップＳ８０３に進む。なお、撮像装置１００の識別情報保持部５８の内容を確認する際に、通信装置３００の識別情報保持部３５６の情報を用いて行ってもよい。
【０２１８】
これらの識別情報の確認により、撮像装置１００と通信装置３００間の認証を行うことができる。
【０２１９】
識別情報保持部５８の内容を確認した結果、撮像装置１００と通信を行うには問題が有ると判断したならば（ステップＳ８０１でＮＯ）、通信システム制御回路３５０は、撮像装置１００からの通知に対して受信処理を行わずに、通信システム制御回路３５０の内部メモリ及び或いはメモリ３５２の所定領域に記憶されたカメラ表示フラグを解除して（ステップＳ８０２）、受信処理ルーチンを終了する。
【０２２０】
ステップＳ８０３では、通信システム制御回路３５０は、撮像装置１００から、通信ユニット１１０、アンテナ１１２、アンテナ３３２、通信ユニット３３０を介して受信した通知の内容が撮像装置１００からの警告通知であるかどうかを判断する。受信した通知の内容が撮像装置１００からの警告通知であったならば（ステップＳ８０３でＹＥＳ）、通信システム制御回路３５０は、通信システム制御回路３５０の内部メモリ及び或いはメモリ３５２の所定領域に、警告表示内容を設定して記憶し（ステップＳ８０４）、ステップＳ８０５に進む。
【０２２１】
このように、撮像装置１００から通知された撮像装置１００の警告通知を、通信装置３００の通知部３６０により表示する設定をすることが可能となる。
【０２２２】
受信した通知の内容が撮像装置１００からの警告通知ではなく（ステップＳ８０３でＮＯ）、撮像装置１００からの状態通知であると判断したならば（ステップＳ８０６でＹＥＳ）、通信システム制御回路３５０は、撮像装置１００からの状態通知の内容を判断する（ステップＳ８０７）。
【０２２３】
撮像装置１００からの状態通知の内容を判断した結果、その他の状態通知であったならば、通知内容に従った表示を設定して記憶し（ステップＳ８０８）、ステップＳ８０５に進む。
【０２２４】
なお、その他の状態通知としては、単写／連写撮影通知、セルフタイマー通知、画像圧縮率通知、記録画素数通知、撮影枚数通知、残撮影可能枚数通知、シャッタースピード通知、絞り値通知、露出補正通知、フラッシュ通知、赤目緩和通知、マクロ撮影通知、ブザー設定通知、時計用電池残量通知、エラー通知、通信Ｉ／Ｆ動作通知、日付け・時刻通知等がある。
【０２２５】
このように、撮影モード、測光モード、単写／連写／セルフ撮影モード、オートフォーカスモード、測距点選択、撮影枚数、撮影可能枚数、シャッタースピード設定、絞り値設定、露出補正、フラッシュ、電池残量検知、エラー状態検知、通信等の撮像機能の動作状態を通知することが可能である。
【０２２６】
ステップＳ８０７で撮像装置１００からの状態通知の内容を判断した結果、電池残量に関する状態通知であったならば、通信システム制御回路３５０は、通知された電池残量の状態に応じて（ステップＳ８０９）、カメラ電池残量表示を撮像装置１００の動作を継続するのに十分な状態であることを示すＨに設定（ステップＳ８１０）、或いはカメラ電池残量表示を撮像装置１００の動作を継続するには残り少ない状態であることを示すＬに設定し（ステップＳ８１１）、ステップＳ８０５に進む。
【０２２７】
このように、撮像装置１００から通知された撮像装置１００の電池残量状態を、通信装置３００の通知部３６０により表示する設定をすることが可能となる。
【０２２８】
また、受信した通知の内容が、撮像装置１００からの状態通知でなかったならば（ステップＳ８０６でＮＯ）、ステップＳ８０５に進む。
【０２２９】
ステップＳ８０５では、通信システム制御回路３５０は、通信システム制御回路３５０の内部メモリ及び或いはメモリ３５２の所定領域に記憶されたカメラ表示フラグを設定した後、受信処理ルーチンを終了する。
【０２３０】
以上説明した様に、第２の実施形態によれば、撮像装置１００は撮像装置１００の状態を通信装置３００に通知し、通信装置３００は通知された撮像装置１００の状態に応じて、撮像装置１００の状態表示を通信装置３００において行うことが可能となる。
【０２３１】
また、撮像装置１００は撮像装置１００の電源ＯＮ／ＯＦＦ状態に応じて電池残量状態を含む各種状態を通信装置３００に通知し、通信装置３００は通知された電池残量状態を含む各種状態に応じて、撮像装置１００の電池残量状態を含む各種状態表示を通信装置３００において行うことが可能となる。
【０２３２】
［第３の実施形態］
＜撮像装置４００の構成説明＞
図１６は、第３の実施形態における撮像装置４００の詳細構成を示す図である。
【０２３３】
図１６に示す撮像装置４００は、図２で説明した撮像装置１００の構成と比較して、通知部５４、画像表示メモリ２４、Ｄ／Ａ変換器２６、画像表示部２８が省かれた横成となっている。他の部分は同様の構成であるため、各部の説明は省略する。
【０２３４】
なお、図１に示すようなシステム構成においては、撮像装置４００は撮像装置１００の代わりに用いられる。
【０２３５】
＜撮像装置４００の動作説明＞
まず、図１７及び図１８を参照して、本発明の第３の実施形態の撮像装置４００の動作を説明する。図１７及び図１８は第３の実施形態における撮像装置４００の主ルーチンのフローチャートを示す。
【０２３６】
図１７において、ステップＳ９０１乃至Ｓ９１６の処理は、第１の実施形態における図４のステップＳ１０１乃至Ｓ１１６とそれぞれ同様であるので、説明を省略する。
【０２３７】
ステップＳ９１６では、システム制御回路５０は、撮像した画像データのバッファであるメモリ３０の動作状態が撮像装置１００の動作、特にメモリ３０に対する画像データの記憶読み出し動作に問題があるか否かを判断し）、問題が無ければステップＳ９２０に進み、問題があるならばステップＳ９１７に進む。
【０２３８】
ステップＳ９１７では、システム制御回路５０は、通信ユニット１１０及びアンテナ１１２を介し通信装置３００に対して所定の警告通知を行い、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ９１９）、ステップＳ９０２に戻る。このように、本第３の実施形態は第１の実施形態とは異なり、撮像装置４００が通知部５４及び画像表示部２８持たないために、撮像装置４００はメモリに問題があることを警告表示せずに、次の処理を行う。
【０２３９】
また、ステップＳ９２０では、システム制御回路５０は、通信ユニット１１０及びアンテナ１１２を介し通信装置３００に対して、撮像装置１００の各種設定状態を示す所定の状態通知を行い、ステップＳ９３１に進む。このように、本第３の実施形態は第１の実施形態とは異なり、撮像装置４００が通知部５４及び画像表示部２８持たないために、撮像装置４００は各種設定状態の表示をせずに、次の処理を行う。
【０２４０】
図１８のステップＳ９３１乃至Ｓ９４０の処理は、上記第１の実施形態で図５を参照して説明したステップＳ１３１乃至Ｓ１４０に示す処理とそれぞれ同様であるので、説明を省略する。
【０２４１】
ステップＳ９３８でシステム制御回路５０が、カメラ電池残量フラグを撮像装置１００の動作を継続するには問題がある状態であることを示すＥの設定した後、ステップＳ９４１においてシステム制御回路５０は、通信ユニット１１０及びアンテナ１１２を介し通信装置３００に対して所定の警告通知を行い、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ９４３）、図１７のステップＳ９０２に戻る。このように、本第３の実施形態は第１の実施形態とは異なり、撮像装置４００が通知部５４及び画像表示部２８持たないために、撮像装置４００は警告表示せずに、次の処理を行う。
【０２４２】
また、ステップＳ９３９でカメラ電池残量フラグを撮像装置４００の動作を継続するには残り少ない状態であることを示すＬの設定後、またはステップＳ９４０でカメラ電池残量フラグを撮像装置４００の動作を継続するのに十分な状態であることを示すＨの設定後、ステップＳ９４４において、システム制御回路５０は、通信ユニット１１０及びアンテナ１１２を介し通信装置３００に対して、撮像装置４００の各種設定状態を示す所定の状態通知を行い、ステップＳ９６１に進む。このように、本第３の実施形態は第１の実施形態とは異なり、撮像装置４００が通知部５４及び画像表示部２８持たないために、撮像装置４００は各種設定状態の表示をせずに、次の処理を行う。
【０２４３】
ステップＳ９６１以降の処理は、上記第１の実施形態において説明した図５のステップＳ１６１以降の処理と同様であるので、ここでは説明を省略する。
【０２４４】
また、ステップＳ９３２における測距・測光処理は図６に示す動作を行い、ステップＳ９６１における撮影処理は、図７に示す動作を行う。
【０２４５】
また、第３の実施形態における通信装置３００の動作は、撮像装置１００の代わりに撮像装置４００との通信を行うことを除いては、図８乃至図１０を参照して第１の実施形態において説明した動作と同様である。
【０２４６】
以上説明した様に、第３の実施形態によれば、撮像装置４００は撮像装置４００の状態を通信装置３００に通知し、通信装置３００は通知された撮像装置４００の状態を判断し、判断した結果に応じて撮像装置４００の状態表示を通信装置３００において行うことが可能となる。
【０２４７】
また、撮像装置４００は撮像装置４００の電源ＯＮ／ＯＦＦ状態と電池残量状態を含む各種状態を通信装置３００に通知し、通信装置３００は通知された撮像装置４００の電源ＯＮ／ＯＦＦ状態を判断し、判断した結果に応じて撮像装置４００の電池残量状態を含む各種状態表示を通信装置３００において行うことが可能となる。
【０２４８】
そして、撮像装置４００が電源ＯＮ状態であると判断した場合に、通信装置３００において撮像装置４００の電池残量状態を含む各種状態表示を行うことが可能となる。
【０２４９】
【他の実施形態】
なお、本実施の形態の説明に於いては、撮像装置１００または４００の電源ＯＮ／ＯＦＦに応じて、撮像装置１００または４００の各種状態を通信装置３００において表示するとして説明したが、撮像装置１００または４００の各種撮像操作に応じて、撮像装置１００または４００の各種状態を通信装置３００において表示するようにしても良い。
【０２５０】
例えば、撮像装置１００または４００のレリーズ釦等の操作に応じて、撮像装置１００または４００の電池残量状態を含む各種状態を通信装置３００において表示するようにしても良い。
【０２５１】
また、撮像装置１００から通信装置３００への警告通知及び或いは状態通知は、撮像装置１００または４００の電源ＯＮ／ＯＦＦに応じて、その頻度を変更するようにしても良い。
【０２５２】
例えば、撮像装置１００または４００が電源ＯＮであったならば、撮像装置１００または４００から通信装置３００への警告通知及び或いは状態通知の頻度を多くし、撮像装置１００または４００が電源ＯＦＦであったならば、撮像装置１００または４００から通信装置３００への警告通知及び或いは状態通知の頻度を少なくするようにしても良い。
【０２５３】
そして、撮像装置１００または４００から通信装置３００への警告通知及び或いは状態通知は、撮像装置１００の識別情報保持部５８、通信装置３００の識別情報保持部３５６を用いて、相互に認証した後に行うようにすれば、誤って他の機器に通知を行う或いは誤って他の機器から通知を受けることを防止することができる。
【０２５４】
なお、上記実施の形態の説明に於いては、単数の撮像装置１００または４００と単数の通信装置３００との組み合わせとして説明を行ったが、単数或いは複数の任意の数の撮像装置と、単数或いは複数の任意の数の通信装置を組み合わせた撮像システムとして構成してもよい。
【０２５５】
また、記録媒体２００は通信装置３００に着脱可能な構成であるとして説明したが、記録媒体２００が撮像装置１００または４００に着脱可能な構成としてもよい。
【０２５６】
さらに、撮像装置１００または４００と通信装置３００の何れにも、記録媒体２００が着脱可能な構成としてもよい。
【０２５７】
この場合、電池残量の警告通知と同様に、撮像装置１００または４００に取付けられた記録媒体２００に記録した撮影画像の枚数やこれから記録媒体２００に記録可能な撮影画像の枚数を、撮像装置１００または４００から通信装置３００に警告通知するようにしても良い。
【０２５８】
なお、記録媒体２００は、ＰＣＭＣＩＡカードやＣＦ（コンパクトフラッシュ）カード、ＭＭＣ（マルチメディアカード）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていてもよい。また、記録媒体２００がメモリカードとハードディスク等が一体となった複合媒体であってもよい。さらに、その複合媒体から一部が着脱可能な構成としても勿論よい。
【０２５９】
そして、上記実施の形態の説明に於いては、記録媒体２００は通信装置３００と分離していて任意に接続可能なものとして説明したが、記録媒体２００が通信装置３００に固定したままとなっていても構わない。
【０２６０】
また、通信装置３００に記録媒体２００が単数或いは複数の任意の個数接続可能な構成であっても構わない。
【０２６１】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０２６２】
この場合、記憶媒体から読み出されたプログラムコード自体が前述した実施形態の機能を実現することになり、そのプログラムコードを記憶した記憶媒体は本発明を構成することになる。
【０２６３】
プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０２６４】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【０２６５】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【０２６６】
【発明の効果】
上記の通り本発明によれば、携帯電話などの通信装置において、上記通信装置が通信可能な電子カメラなどの撮像装置の状態を確認することができる。
【図面の簡単な説明】
【図１】本発明の実施の形態における撮像システムの全体構成を示す図である。
【図２】本発明の実施の形態における撮像装置の構成を示すブロック図である。
【図３】本発明の実施の形態における通信装置の構成を示すブロック図である。
【図４】本発明の第１の実施形態における撮像装置の主ルーチンのフローチャートである。
【図５】本発明の第１の実施形態における撮像装置の主ルーチンのフローチャートである。
【図６】本発明の第１の実施形態における撮像装置の測距・測光処理ルーチンのフローチャートである。
【図７】本発明の第１の実施形態における撮像装置の撮影処理ルーチンのフローチャートである。
【図８】本発明の第１の実施形態における通信装置の主ルーチンのフローチャートである。
【図９】本発明の第１の実施形態における通信装置の主ルーチンのフローチャートである。
【図１０】本発明の第１の実施形態における通信装置の受信処理ルーチンのフローチャートである。
【図１１】本発明の第２の実施形態における撮像装置の主ルーチンのフローチャートである。
【図１２】本発明の第２の実施形態における撮像装置の主ルーチンのフローチャートである。
【図１３】本発明の第２の実施形態における通信装置の主ルーチンのフローチャートである。
【図１４】本発明の第２の実施形態における通信装置の主ルーチンのフローチャートである。
【図１５】本発明の第２の実施形態における通信装置の受信処理ルーチンのフローチャートである。
【図１６】本発明の第３の実施形態における撮像装置の構成を示すブロック図である。
【図１７】本発明の第３の実施形態における通信装置の主ルーチンのフローチャートである。
【図１８】本発明の第３の実施形態における通信装置の主ルーチンのフローチャートである。
【符号の説明】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御部
４２  測距制御部
４４  ズーム制御部
４６  バリア制御部
４８  フラッシュ
５０  システム制御回路
５２  メモリ
５４  通知部
５６  不揮発性メモリ
５８  識別情報保持部
６０  モードダイアルスイッチ
６２  シャッタースイッチＳＷ１
６４  シャッタースイッチＳＷ２
６６  単写／連写スイッチ
６８  圧縮モードスイッチ
７０  操作部
７２  メインスイッチ
８０  電源制御部
８２  コネクタ
８４  コネクタ
８６  電源部
１００  撮像装置
１０２  バリア
１０４  光学ファインダ
１１０  通信ユニット
１１２  アンテナ
２００  記録媒体
２０２  記録部
２０４  インタフェース
２０６  コネクタ
２０８  識別情報保持部
３００  通信装置
３１０  マイク
３１２  Ａ／Ｄ変換器
３１４  メモリ制御回路
３１６  Ｄ／Ａ変換器
３１８  スピーカー
３２０  メモリ
３２２  Ｄ／Ａ変換器
３２４  画像表示部
３２６  通信ユニット
３２８  アンテナ
３３０  通信ユニット
３３２  アンテナ
３５０  通信システム制御回路
３５２  メモリ
３５４  不揮発性メモリ
３５６  識別情報保持部
３６０  通知部
３６２  操作手段
３６４  着信通知部
３６６  記録媒体着脱検知部
３８０  電源制御部
３８２  コネクタ
３８４  コネクタ
３８６  電源部
３９０  インタフェース
３９２  コネクタ
４００  撮像装置
【図１】
0003937689.tif 000002
【図２】
0003937689.tif 000003
【図３】
0003937689.tif 000004
【図４】
0003937689.tif 000005
【図５】
0003937689.tif 000006
【図６】
0003937689.tif 000007
【図７】
0003937689.tif 000008
【図８】
0003937689.tif 000009
【図９】
0003937689.tif 000010
【図１０】
0003937689.tif 000011
【図１１】
0003937689.tif 000012
【図１２】
0003937689.tif 000013
【図１３】
0003937689.tif 000014
【図１４】
0003937689.tif 000015
【図１５】
0003937689.tif 000016
【図１６】
0003937689.tif 000017
【図１７】
0003937689.tif 000018
【図１８】
0003937689.tif 000019